(57)【要約】 【課題】  劣化の度合いが少ない平板蛍光ランプを提供する。【解決手段】  平板蛍光ランプは、複数の放電空間２１０に分割され、光を発生させるランプ本体及びランプ本体の両端部に複数の放電空間と交差されるように形成された外部電極３００を含む。それぞれの放電空間は第１空間幅ＳＷ１を有する第１放電領域ＳＲ１及び第１空間幅より小さい第２空間幅ＳＷ２を有する第２放電領域ＳＲ２で構成される。第２放電領域は第１放電領域の間に位置する。第１放電領域は一部領域が外部電極と重なり、外部電極と重ならない第２放電領域まで延びる。【選択図】    図２
2006173081.tif 000002
【特許請求の範囲】
【請求項１】
複数の放電空間に分割されて光を発生し、それぞれの前記放電空間は第１空間幅を有する第１放電領域及び前記第１空間幅より小さい第２空間幅を有する第２放電領域で構成されるランプ本体と、
前記ランプ本体の両端部に前記複数の放電空間と交差するように形成された外部電極と、を含むことを特徴とする平板蛍光ランプ。
【請求項２】
前記第２放電領域は、前記第１放電領域の間に位置することを特徴とする請求項１記載の平板蛍光ランプ。
【請求項３】
前記第１放電領域は、一部領域が前記外部電極と重なり、前記外部電極と重ならない前記第２放電領域まで延びていることを特徴とする請求項２記載の平板蛍光ランプ。
【請求項４】
前記ランプ本体は、
第１基板と、
前記第１基板と離隔され、前記放電空間を形成する放電空間部、前記放電空間部の間で前記第１基板と接する空間分割部、及び前記放電空間部及び空間分割部の周縁部に形成され前記第１基板と結合されるシーリング部を有した第２基板と、を含むことを特徴とする請求項１記載の平板蛍光ランプ。
【請求項５】
前記空間分割部は、
前記第１放電領域に対応し、第１分割幅を有する第１分割領域と、
前記第２放電領域に対応し、前記第１分割幅より大きい第２分割幅を有する第２分割領域と、を含むことを特徴とする請求項４記載の平板蛍光ランプ。
【請求項６】
前記第２分割領域は、前記第１分割領域の間に位置することを特徴とする請求項５記載の平板蛍光ランプ。
【請求項７】
前記第１分割領域は、一部領域が前記外部電極と重なり、前記外部電極と重ならない前記第２分割領域まで延びていることを特徴とする請求項６記載の平板蛍光ランプ。
【請求項８】
前記第１分割幅は２ｍｍであり、前記第２分割幅は４ｍｍであることを特徴とする請求項７記載の平板蛍光ランプ。  
【請求項９】
前記ランプ本体は、互いに隣接した前記放電空間を連結するために前記空間分割部に形成された連結通路を更に含むことを特徴とする請求項５記載の平板蛍光ランプ。
【請求項１０】
前記連結通路は、前記第２分割領域に形成されていることを特徴とする請求項９記載の平板蛍光ランプ。
【請求項１１】
前記外部電極は、前記第１基板及び前記第２基板の外面に形成されていることを特徴とする請求項４記載の平板蛍光ランプ。
【請求項１２】
前記ランプ本体は、
前記第１基板の内面に形成された反射膜と、
前記反射膜の上部面及び前記第２基板の内面に形成された蛍光膜と、を更に含むことを特徴とする請求項４記載の平板蛍光ランプ。
【請求項１３】
第１空間幅を有する第１放電領域及び前記第１空間幅より小さい第２空間幅を有する第２放電領域で構成された複数の放電空間に分割されたランプ本体、及び前記ランプ本体の両端部に前記放電空間と交差するように形成された外部電極を含む平板蛍光ランプと、
前記平板蛍光ランプから供給される光を用いて画像を表示する液晶表示パネルと、を含むことを特徴とする液晶表示装置。
【請求項１４】
前記第２放電領域は、前記第１放電領域の間に位置することを特徴とする請求項１３記載の液晶表示装置。
【請求項１５】
前記第１放電領域は、一部領域が前記外部電極と重なり、前記外部電極と重ならない前記第２放電領域まで延びていることを特徴とする請求項１４記載の液晶表示装置。
【請求項１６】
前記ランプ本体は、
第１基板と、
前記第１基板と離隔され、前記放電空間を形成する放電空間部、前記放電空間部の間で前記第１基板と接する空間分割部、及び前記放電空間部及び空間分割部の周縁部に形成され前記第１基板と結合されるシーリング部を有した第２基板と、を含むことを特徴とする請求項１３記載の液晶表示装置。  
【請求項１７】
前記空間分割部は、
前記第１放電領域に対応し、第１分割幅を有する第１分割領域と、
前記第２放電領域に対応して前記第１分割領域の間に位置し、前記第１分割幅より大きい第２分割幅を有する第２分割領域と、を含むことを特徴とする請求項１６記載の液晶表示装置。
【請求項１８】
前記第１分割領域は、一部領域が前記外部電極と重なり、前記外部電極と重ならない第２分割領域まで延びていることを特徴とする請求項１７記載の液晶表示装置。
【請求項１９】
前記平板蛍光ランプの駆動のための放電電圧を発生するインバータと、
前記平板蛍光ランプと前記液晶表示パネルとの間に配置された光学部材と、を更に含むことを特徴とする請求項１３記載の液晶表示装置。
【請求項２０】
前記光学部材は、
前記平板蛍光ランプから出射される光を拡散させる拡散板と、
前記拡散板の上部に配置され、光の進行経路を変更させる少なくとも一つの光学シートと、を含むことを特徴とする請求項１９記載の液晶表示装置。
【発明の詳細な説明】
【技術分野】
【０００１】
本発明は、平板蛍光ランプ及びこれを有する液晶表示装置に係わり、より詳細には複数の放電空間に分割され、光を発生する平板蛍光ランプ及びこれを有する液晶表示装置に関する。
【背景技術】
【０００２】
一般的に、液晶表示装置は、液晶を用いて画像を表示する平板表示装置の一つとして、他のディスプレイ装置に比べ薄くて軽く、低い駆動電圧及び低い消費電力を有する長所があって、産業全般にかけて広範囲に用いられている。
【０００３】
このような液晶表示装置は、画像を表示するための液晶表示パネルが自体的に発光できない非発光性素子であるため、液晶表示パネルに光を供給するための別途の光源を必要とする。
【０００４】
従来の液晶表示装置は、光源として細くて長い円筒形状の冷陰極蛍光ランプ（ＣＣＦＬ）を主に用いていた。しかし、液晶表示装置が大型化することによって、要求される冷陰極蛍光ランプの数が増加しており、これによって製造原価が増加し、輝度均一性などの光学特性が落ちる問題点が発生している。
【０００５】
このような問題点を解消するために、最近では面形態に光を出射する平板蛍光ランプに対する開発が進行しつつある。平板蛍光ランプは複数の放電空間に分割されたランプ本体及び放電電圧を印加するために、ランプ本体の外面に形成された外部電極を含む。このような平板蛍光ランプはインバータから外部電極に印加される放電電圧によってそれぞれの放電空間でプラズマ放電を起こし、これを用いて光を出射する。
【０００６】
最近、輝度及び発光効率の向上のために、発光領域に比べて電極領域の面積を拡大した平板蛍光ランプが開発されたことがある。しかし、このような平板蛍光ランプを駆動する場合、発光領域と電極部領域が接する部分では、短い時間内に水銀による樹枝状結晶が形成され、電極部の内部から発光領域に拡散する問題が発生する。このような樹枝状結晶は電極部から発生する熱と電気場による水銀イオンの蒸着によって生成されるものであって、時間が経つことによって発光領域に進行して最終的に液晶表示装置の表示品質を落とすという問題点を生じる。
【発明の開示】
【発明が解決しようとする課題】
【０００７】
したがって、本発明はこのような問題点を勘案したものであって、本発明の目的は、電極部領域から発生する樹枝状結晶による黒化現象を防止して表示品質を向上することができる平板蛍光ランプを提供することにある。
本発明の他の目的は、前記のような平板蛍光ランプを光源として有する液晶表示装置を提供することにある。
【課題を解決するための手段】
【０００８】
前述した本発明の目的を達成するための平板蛍光ランプは、ランプ本体及び外部電極を含む。前記ランプ本体は、複数の放電空間に分割されて光を発生し、それぞれの前記放電空間は第１空間幅を有する第１放電領域及び前記第１空間幅より小さい第２空間幅を有する第２放電領域で構成される。前記外部電極は、前記ランプ本体の両端部に前記複数の放電空間と交差するように形成される。
前記第２放電領域は、前記第１放電領域の間に位置する。
前記第１放電領域は、一部領域が前記外部電極と重なり、前記外部電極と重ならない前記第２放電領域まで延びる。
【０００９】
前記ランプ本体は、第１基板及び第２基板を含む。前記第２基板は、前記第１基板と離隔され、前記放電空間を形成する放電空間部、前記放電空間部の間で前記第１基板と接する空間分割部、及び前記放電空間部及び前記空間分割部の周縁部に形成され前記第１基板と結合されるシーリング部で構成される。
【００１０】
前記空間分割部は、前記第１放電領域に対応し、第１分割幅を有する第１分割領域、及び前記第２放電領域に対応し、前記第１分割幅より大きい第２分割幅を有する第２分割領域を含む。前記第２分割領域は、前記第１分割領域の間に位置する。前記第１分割領域は、一部領域が前記外部電極と重なり、前記外部電極と重ならない前記第２分割領域まで延びる。
【００１１】
本発明の他の目的を達成するための液晶表示装置は、平板蛍光ランプ及び液晶表示パネルを含む。前記平板ランプは、第１空間幅を有する第１放電領域及び前記第１空間幅より小さい第２空間幅を有する第２放電領域で構成された複数の放電空間に分割されたランプ本体、及び前記ランプ本体の両端部に前記放電空間と交差するように形成された外部電極を含む。前記液晶表示パネルは、前記平板蛍光ランプから供給される光を用いて画像を表示する
このような平板蛍光ランプ及びこれを有する液晶表示装置によると、電極部領域で発生する樹枝状結晶による黒化現象を防止して表示品質を向上させることができる。
【発明を実施するための最良の形態】
【００１２】
以下、添付した図面を参照して本発明の望ましい実施例をより詳細に説明する。
図１は、本発明の一実施例による平板蛍光ランプを示した斜視図であり、図２は、図１に示した平板蛍光ランプの平面図である。
図１及び図２を参照すると、本発明の一実施例による平板蛍光ランプ１００は、ランプ本体２００及び外部電極３００を含む。
【００１３】
ランプ本体２００は、複数の放電空間２１０に分割され、光を発生する。各放電空間２１０は、第１空間幅（ＳＷ１）を有する第１放電領域（ＳＲ１）及び第１空間幅（ＳＷ１）より小さい第２空間幅（ＳＷ２）を有する第２放電領域（ＳＲ２）で構成される。ここで、第１空間幅（ＳＷ１）及び第２空間幅（ＳＷ２）は放電空間２１０の長手方向に垂直な方向の幅を示す。第２放電領域（ＳＲ２）は第１放電領域（ＳＲ１）の間に位置する。
【００１４】
外部電極３００は、ランプ本体２００の両端部に複数の放電空間２１０と交差するように形成される。外部電極３００はランプ本体２００の外面に形成される。外部電極３００は、ランプ本体２００の上部面及び下部面に同時に形成される。但しこれに限らず、外部電極３００はランプ本体２００の上部面にのみ形成することも、下部面にのみ形成することもできる。外部電極３００は、第１放電領域（ＳＲ１）の一部領域と重なるように形成される。
【００１５】
本実施例で、第１放電領域（ＳＲ１）は、一部領域が外部電極３００と重なり、外部電極３００と重ならない第２放電領域（ＳＲ２）まで延れるように形成される。第１放電領域（ＳＲ１）の延長長さは少なくとも外部電極３００の電極幅（ＥＷ）より長く形成される。これによって、第１放電領域（ＳＲ１）と第２放電領域（ＳＲ２）が接する屈曲した部分が外部電極３００と重ならないようになる。したがって、第１放電領域（ＳＲ１）と第２放電領域（ＳＲ２）が接する屈曲した部分で発生する樹枝状結晶による黒化現象を防止することができる。第１放電領域（ＳＲ１）の延長長さは、平板蛍光ランプ全体中に明るい領域が線状に現れる度合いを低下させるという観点からは長いほどよい。即ち、第１放電領域（ＳＲ１）の空間幅（ＳＷ１）は大きいのでそれに隣接する隔壁の幅は小さく、隔壁により形成される線状の暗部が相対的に目立たなくなる。従って、第１放電領域（ＳＲ１）が長いほど明暗の差が著しく現れなくなり、明るい部分が線状となって目立つ度合いが低下する。しかし、第２放電領域（ＳＲ２）に対応した場所に形成される連結通路２２０の大きさを考慮して適当な長さで形成する。
【００１６】
ランプ本体２００には、互いに隣接した放電空間２１０を連結するための連結通路２２０が形成される。連結通路２２０は第２放電領域（ＳＲ２）に対応した場所で放電空間２１０の間に形成される。連結通路２２０は放電空間２１０に存在する空気を排気したり、放電空間２１０に放電ガスを注入するとき、空気又は放電ガスが移動可能な通路を提供する。第２放電領域（ＳＲ２）は連結通路２２０の形成のための空間を提供するために第１放電領域（ＳＲ１）に比べて相対的に小さい空間幅を有するようになっている。
【００１７】
図３は、図１のＩ−Ｉ’に沿って見た断面図である。
図１及び図３を参照すると、平板蛍光ランプ１００は複数の放電空間２１０に分割されたランプ本体２００及びランプ本体２００の両端部に複数の放電空間２１０と交差するように形成された外部電極３００を含む。
【００１８】
ランプ本体２００は、第１基板２３０及び第１基板２３０と結合され、複数の放電空間２１０を形成する第２基板２４０を含む。
第１基板２３０は、所定の厚さを有する四角形のプレート形状を有する。第１基板２３０は一例で、ガラス材質からなる。第１基板２３０は、放電空間２１０から発生した紫外線が漏洩しないよう紫外線を遮断する物質を含むことができる。
【００１９】
第２基板２４０は、放電空間２１０から発生した可視光が透過可能な透明材質からなる。一例として、第２基板２４０はガラス材質からなる。第２基板２４０は放電空間２１０で発生される紫外線が漏洩しないよう紫外線を遮断する物質を含むことができる。第２基板２４０は第１基板２３０と離隔され、放電空間２１０を形成する放電空間部２４２、互いに隣接する放電空間部２４２の間に形成され、第１基板２３０と接する空間分割部２４４、及び放電空間部２４２と空間分割部２４４の周縁部に形成され、第１基板２３０と結合されるシーリング部２４６を含む。
【００２０】
このような形状の第２基板２４０は成形加工によって形成される。即ち、第１基板２３０のようなプレート形状のベース基板を一定温度に加熱した後、希望する形状の金型を通じて前記ベース基板を成型することで、放電空間部２４２、空間分割部２４４及びシーリング部２４６を含む第２基板２４０を得ることができる。これに限らず、第２基板２４０はベース基板を加熱した後、空気の供給を通じて形状を加工するなどの多様な方法によって形成することができる。
【００２１】
第２基板２４０の終端部は、図３に示したように、ほぼ梯形様のアーチ形状の放電空間部２４２が連続に連結される形態を有する。しかし、これに限らず、第２基板２４０は放電空間部２４２の終端部が半円、四角形、より正確に梯形に近い形などの多様な形態を有するように形成することができる。
第２基板２４０は接着部材２６０を通じて第１基板２３０と結合される。一例として、接着部材２６０はガラスより低い融点を有するガラスと金属の混合物であるフリット（ｆｒｉｔ）からなる。第１基板２３０と第２基板２４０との間にシーリング部２４６に対応して接着部材２６０を介在した後に焼成することで、第１基板２３０と第２基板２４０は互いに結合される。
【００２２】
空間分割部２４４は、ランプ本体２１０の内部と外部間の圧力差によって第１基板２３０に密着される。具体的に、第１基板２３０と第２基板２４０の結合後、放電空間２１０に存在する空気を排気して真空状態を作り、その後、放電空間２１０にはプラズマ放電のための多様な種類の放電ガスが注入される。例えば、放電ガスは、水銀（Ｈｇ）、ネオン（Ｎｅ）、アルゴン（Ａｒ）などを含む。放電空間２１０に存在する放電ガスのガス圧は、約５０〜７０ｔｏｒｒ程度で外部大気圧である７６０ｔｏｒｒと比べて圧力差が発生する。このような圧力差によってランプ本体２００の外部から内部に向かう力が生じ、このような力によって空間分割部２４４は第１基板２３０に密着される。
【００２３】
ランプ本体２００は、第１基板２３０の内面、即ち、第２基板２４０と向い合う面に形成された反射膜２７０、反射膜２７０の上部に形成された第１蛍光膜２８２及び第２基板２４０の内面、即ち、第１基板２３０と向い合う面に形成された第１蛍光膜２８４を更に含む。
【００２４】
反射膜２７０は、第１蛍光膜２８２及び第２蛍光膜から発生した可視光を反射させ、第１基板２３０を通じて可視光が漏洩することを防止する。反射膜２７０は反射率を高くし、色座標の変化を減少させるために、金属酸化物からなることができる。例えば、反射膜２７０は酸化アルミニウム（Ａｌ２Ｏ３）又は硫酸バリウム（ＢａＳＯ４）からなる。
【００２５】
第１蛍光膜２８２及び第２蛍光膜２８４は、放電空間２１０からプラズマ放電を通じて発生した紫外線によって励起されて可視光を放出する。
反射膜２７０、第１蛍光膜２８２及び第２蛍光膜２８４は、第１基板２３０と第２基板２４０の結合前、第１基板２３０及び第２基板２４０にそれぞれスプレイ方式を通じて薄い膜形態にコーティングされる。ここで、反射膜２７０、第１蛍光膜２８２、及び第２蛍光膜２８４はシーリング部２４６に対応する領域を除いた全ての領域に形成される。これに限らず、反射膜２７０、第１蛍光膜２８２、及び第２蛍光膜２８４は空間分割部２４４に対応する領域にも形成しないようにしてもよい。
【００２６】
ランプ本体２００は、第１基板２３０と反射膜２７０との間及び/又は第２基板２４０と第２蛍光膜２８４との間に形成される保護膜（図示せず）を更に含むことができる。前記保護膜は、第１基板２３０又は第２基板２４０と放電ガスの主成分である水銀（Ｈｇ）との化学的な反応を防止して水銀の損失及び黒化現象を防止する。
【００２７】
外部電極３００は、第１基板２３０及び第２基板２４０の外面に全ての放電空間２１０と交差するように形成される。外部電極３００は、放電空間部２４２の長手方向の両端部に対応するように形成される。外部電極３００は放電空間部２４２の長手方向に垂直な方向に延び、全ての放電空間２１０と重なる。外部電極３００は外部のインバータから印加される放電電圧をランプ本体２００に伝達するために導電性物質からなる。外部電極３００は、一例として、銀（Ａｇ）と酸化シリコン（ＳｉＯ２）の混合物であるシルバーペースト（Ａｇ  Ｐａｓｔｅ）のコーティングによって形成される。他にも、外部電極３００は、金属又は金属混合物からなる金属パウダー（Ｍｅｔａｌ  Ｐｏｗｄｅｒ）をスプレイコーティングする方式によって形成することができる。一方、第１基板２３０及び第２基板２４０にそれぞれ形成された外部電極３００は導電性のクリップ（図示せず）によって電気的に連結される。
【００２８】
図４は、図２に示した平板蛍光ランプを拡大した平面図である。
図２及び図４を参照すると、空間分割部２４４は、放電空間部２４２の間に位置する。それぞれの空間分割部２４４は、第１放電領域（ＳＲ１）に対応する第１分割領域（ＤＲ１）及び第２放電領域（ＳＲ２）に対応する第２分割領域（ＤＲ２）で構成される。第１分割領域（ＤＲ１）は第１分割幅（ＤＷ１）を有し、第２分割領域（ＤＲ２）は第１分割幅（ＤＷ１）より大きい第２分割幅（ＤＷ２）を有する。ここで、第１分割幅（ＤＷ１）及び第２分割幅（ＤＷ２）は空間分割部２４４の長手方向に垂直な方向の幅を示す。第２分割領域（ＤＲ２）は、連結通路２２０の形成のために、第１分割領域（ＤＲ１）の間に位置する。
【００２９】
第１分割領域（ＤＲ１）は一部領域が外部電極３００と重なり、外部電極３００と重ならない第２分割領域（ＤＲ２）まで延びるように形成される。第１分割領域（ＤＲ１）は第１分割領域（ＤＲ１）と第２分割領域（ＤＲ２）が接する屈曲した部分が外部電極３００と重ならないように少なくとも外部電極３００の電極幅（ＥＷ）より長く形成される。第１分割領域（ＤＲ１）は、上述したように明るい部分が線状に目立つことを抑制するために長く形成されることが望ましい。例えば、外部電極３００の電極幅（ＥＷ）は約１５ｍｍであり、第１分割領域（ＤＲ１）はシーリング部２４６から約２０ｍｍ以上の長さに形成される。
【００３０】
連結通路２２０は、空間分割部２４４の第２分割領域（ＤＲ２）に形成される。第２分割領域（ＤＲ２）は連結通路２２０の形成のために第１分割領域（ＤＲ１）に比べて相対的に大きい分割幅に形成される。例えば、第１分割領域（ＤＲ１）の第１分割幅（ＤＷ１）は約２ｍｍであり、第２分割領域（ＤＲ２）の第２分割幅（ＤＷ２）は約４ｍｍに形成される。
【００３１】
図５は、図１に示したＡ部分を拡大した拡大図であり、図６は、図５のＩＩ−ＩＩ’に沿って見た断面図である。
図５及び図６を参照すると、連結通路２２０は第２基板２４０の成形加工と同時に形成される。連結通路２２０は、放電空間２１０に存在する空気を排気したり、放電空間２１０に放電ガスを注入するとき、空気又は放電ガスが移動可能な通路を提供する。連結通路２２０は、互いに隣接する放電空間２１０を連結するために第１基板２３０との結合時、第１基板２３０と所定距離に離隔されるように形成される。
【００３２】
連結通路２２０は、隣接する放電空間２１０を互いに連結可能である限り、多様な形状を有することができる。一例として、連結通路２２０は、空間分割部２４４の長手方向に沿う方向成分を有するような曲線に形成される。特に、連結通路２２０は空間分割部２４４の長手方向に沿った方向で見た時Ｓ字形状を有するように形成される。連結通路２２０の形状をＳ字形状に形成することで、連結通路２２０の長さは、放電空間２１０間の離隔距離即ち空間分割部２４４の分割幅より大きくなる。このように、連結通路２２０の長さが増加されることによって、各放電空間２１０で流れる電流が隣接する他の放電空間２１０に移動する可能性を有した経路が長くなり、隣接する放電空間２１０間の相互干渉によって一つの放電空間２１０に電流が偏る偏流現象などの不良発生を効果的に防止することができる。連結通路２２０は、一例として、約２ｍｍの幅と、約２ｍｍ程度の高さに形成される。
【００３３】
図７は、本発明の一実施例による液晶表示装置を示した分解斜視図であり、図８は、図７に示した液晶表示装置の組み立て状態の断面を示した断面図である。
図７及び図８を参照すると、本発明の一実施例による液晶表示装置６００は、光を供給するための平板蛍光ランプ１００及び平板蛍光ランプ１００から供給される光を用いて画像を表示するディスプレイユニット７００を含む。
【００３４】
平板蛍光ランプ１００は、複数の放電空間に分割されて光を発生するランプ本体２００及びランプ本体２００の両端部に複数の放電空間と交差するように形成された外部電極３００を含む。各放電空間は、第１空間幅を有する第１放電領域及び第１空間幅より小さい第２空間幅を有する第２放電領域で構成される。平板蛍光ランプ１００は、図１乃至図６に示したものと同じ構造を有するので、同じ参照番号を付与し、その重複した説明は省略する。
【００３５】
ディスプレイユニット７００は、平板蛍光ランプ１００から供給される光を用いて画像を表示する液晶表示パネル７１０及び液晶表示パネル７１０を駆動するための駆動回路部７２０を含む。
液晶表示パネル７１０は、第１基板７１２、第１基板７１２と対向するように結合される第２基板７１４、及び第１基板７１２と第２基板７１４との間に介在する液晶層７１６を含む。
【００３６】
第１基板７１２は、スイッチング素子である薄膜トランジスタ（以下、ＴＦＴと称する。）がマトリックス形態に形成された基板である。一例として、第１基板７１２はガラス材質からなる。前記ＴＦＴのソース端子及びゲート端子にはそれぞれデータライン及びゲートラインが連結され、ドレイン端子には透明な導電性材質からなる画素電極が連結される。
第２基板７１４は色を具現するためのＲＧＢ画素が薄膜形態に形成された基板である。第２基板７１４は一例として、ガラス材質からなる。第２基板７１４には透明な導電性材質からなる共通電極が形成される。  
【００３７】
このような構成を有する液晶表示パネル７１０は、前記ＴＦＴゲート端子に電圧が印加され、ＴＦＴがターンオンされると、画素電極と共通電極との間には電界が形成される。このような電界によって第１基板７１２と第２基板７１４との間に介在した液晶層７１６の配列が変化し、液晶層７１６の配列変化によって平板蛍光ランプ１００から供給される光の透過度が変更され、希望する階調の画像を表示するようになる。
【００３８】
駆動回路部７２０は、液晶表示パネル７１０にデータ駆動信号を供給するデータ印刷回路基板７２２、液晶液晶表示パネル７１０にゲート駆動信号を供給するゲート印刷回路基板７２４、データ印刷回路基板７２２を液晶表示パネル７１０に連結するデータ可撓性回路フィルム７２６及びゲート印刷回路基板７２４を液晶表示パネル７１０に連結するゲート可撓性回路フィルム７２８を含む。データ可撓性回路フィルム７２６及びゲート可撓性回路フィルム７２８は、例えば、テープキャリアパッケージ（ＴＣＰ）又はチップオングラス（ＣＯＧ）からなる。
【００３９】
データ印刷回路基板７２２は、データ可撓性回路フィルム７２６を折り曲げることによって平板蛍光ランプ１００を収納する収納容器８３０の側面又は背面に配置され、ゲート印刷回路基板７２４はゲート可撓性回路フィルム７２８を折り曲げることによって収納容器８３０の側面又は背面に配置される。一方、ゲート印刷回路基板７２４は液晶表示パネル７１０及びゲート可撓性回路フィルム７２８に別途の信号配線を形成することで、除去することができる。
【００４０】
液晶表示装置６００は、平板蛍光ランプ１００を駆動するためのインバータ８１０及び平板蛍光ランプ１００の上部に配置される光学部材８２０を更に含む。
インバータ８１０は、平板蛍光ランプ１００を駆動するための放電電圧を発生する。インバータ８１０は、外部から印加される低電位の交流電圧を平板蛍光ランプ１００の駆動に適合した高電位の交流電圧に昇圧して放電電圧を出力する。インバータ８１０は収納容器８３０の背面に配置される。インバータ８１０から発生した放電電圧は第１電源線８１２及び第２電源線８１４を通じて平板蛍光ランプ１００の外部電極３００に印加される。
【００４１】
光学部材８２０は、平板蛍光ランプ１００と液晶表示パネル７１０との間に配置され、平板蛍光ランプ１００から出射される光の輝度特性を向上させ、液晶表示パネル７１０に供給する。光学部材８２０は平板蛍光ランプ１００の上部に配置され、平板蛍光ランプ１００から出射される光を拡散させる拡散板８２２及び拡散板８２２の上部に配置され、光の進行経路を変更させる少なくとも一つの光学シート８２４を含む。
【００４２】
拡散板８２２は、平板蛍光ランプ１００から出射される光を拡散させ、光の輝度均一性を向上させる。拡散板８２２は、所定の厚さを有するプレート形状に形成され、平板蛍光ランプ１００と一定間隔に離隔されて配置される。拡散板８２２は、光の透過のために、透明な材質からなり、光の拡散のための拡散剤を含む。拡散板８２２は一例として、ポリメチルメタクリレート（ＰＭＭＡ）材質からなる。
【００４３】
光学シート８２４は、拡散板８２２を通じて拡散された光の経路を再び変更して輝度特性を向上させる。光学シート８２４は、拡散板８２２を通じて拡散された光を正面方向に集光させ、光の正面輝度を向上させるための集光シートを含むことができる。また、光学シート８２４は、拡散板８２２を通じて拡散された光を再び拡散させるための拡散シートを含むことができる。さらに、液晶表示装置６００は、要求される輝度特性によって多様な機能の光学シートを追加したり、又は除去することができる。
【００４４】
液晶表示装置６００は、平板蛍光ランプ１００を収納する収納容器８３０を更に含む。収納容器８３０は、底部８３２及び底部８３２の端部から延びて収納空間を提供する側部８３４で構成される。側部８３４は、一例として、他の構成要素との結合空間を提供し、結合力を向上させるためにＵ字形状に折曲げられた構造を有する。収納容器８３０は、一例として、強度が優れ、変形が少ない金属からなる。
【００４５】
液晶表示装置６００は、平板蛍光ランプ１００と収納容器８３０の間に配置され、平板蛍光ランプ１００を支持する緩衝部材８４０を更に含むことができる。緩衝部材８４０は平板蛍光ランプ１００の周縁部に対応して配置され、平板蛍光ランプ１００を収納容器８３０に対し一定距離に離隔して平板蛍光ランプ１００と収納容器８３０との間の電気的な接触も遮断する。このために、緩衝部材８４０は絶縁部材からなる。また、緩衝部材８４０は、外部から加えられる衝撃を吸収するためにある程度の弾性を有する物質からなることが望ましい。一例として、緩衝部材８４０は、シリコン材質からなる。緩衝部材８４０は、「コ」字形状を有する二つの片で構成される。これに限らず、緩衝部材８４０は、平板蛍光ランプ１００の各辺に対応する四つの片で構成されたり、平板蛍光ランプ１００の四つの角に対応する四つの片で構成されたり、又は連続したフレーム形状の一体部材として形成されることが可能である。
【００４６】
液晶表示装置６００は、平板蛍光ランプ１００と拡散板８２２との間に配置される第１モールド８５０を更に含むことができる。第１モールド８５０は、平板蛍光ランプ１００を固定しかつ拡散板８２２を支持する。第１モールド８５０は、平板蛍光ランプ１００の上部から収納容器８３０の側部８３４と結合し、平板蛍光ランプ１００の上部面の周縁部を固定する。第１モールド８５０は、図７に示したように、フレーム形状の一体部材として形成される。これに限らず、第１モールド８５０は二つ又は四つの片に分割された構造を有することもできる。
【００４７】
液晶表示装置６００は、光学シート８２４と液晶表示パネル７１０との間に配置される第２モールド８６０を更に含むことができる。第２モールド８６０は光学シート８２４及び拡散板８２２を固定しかつ液晶表示パネル７１０を支持する。第２モールド８６０は、第１モールド８５０と同様に、フレーム形状の一体部材として形成されたり、二つ又は四つの片に分割された構造を有することができる。
【００４８】
液晶表示装置６００は、液晶表示パネル７１０を固定するためのトップシャーシ８７０を更に含むことができる。トップシャーシ８７０は液晶表示パネル７１０の周縁部を囲みながら収納容器８３０と結合され、液晶表示パネル７１０を第２モールド８６０の上部に固定する。このようなトップシャーシ８７０は、外部からの衝撃による液晶表示パネル７１０の破損を防止し、液晶表示パネル７１０が第２モールド８６０から離脱することを防止する。
【産業上の利用可能性】
【００４９】
このような平板蛍光ランプ及びこれを有する液晶表示装置によると、第１放電領域と第２放電領域が接する屈曲した領域が外部電極と重ならなくなって、電極部の領域で発生される樹枝状結晶による黒化現状を防止し、液晶表示装置の表示品質を向上することができる。
また、外部電極と重なる放電空間の空間幅を増加させ、平板蛍光ランプの放電効率を向上し、発生される光の輝度を増加させることができる。
【００５０】
以上、本発明の実施例によって詳細に説明したが、本発明はこれに限定されず、本発明が属する技術分野において通常の知識を有するものであれば本発明の思想と精神を離脱することなく、本発明を修正または変更できる。  
【図面の簡単な説明】
【００５１】
【図１】本発明の一実施例による平板蛍光ランプを示した斜視図である。
【図２】図１に示した平板蛍光ランプの平面図である。
【図３】図１のＩ−Ｉ’に沿って見た断面図である。
【図４】図２に示した平板蛍光ランプを拡大した平面図である。
【図５】図１に示したＡ部分を拡大した拡大図である。
【図６】図５のＩＩ−ＩＩ’に沿って見た断面図である。
【図７】本発明の一実施例による液晶表示装置を示した分解斜視図である。
【図８】図７に示した液晶表示装置の組み立て状態の断面を示した断面図である。
【符号の説明】
【００５２】
１００    平板蛍光ランプ
２００    ランプ本体
２１０    放電空間
２２０    連結通路
２３０    第１基板
２４０    第２基板
２４２    放電空間部
２４４    空間分割部
２４６    シーリング部
３００    外部電極
６００    液晶表示装置
７００    ディスプレイユニット
７１０    液晶表示パネル
８１０    インバータ
８２０    光学部材
８２２    拡散板
８２４    光学シート
８３０    収納容器
８４０    緩衝部材
【図１】
2006173081.tif 000003
【図２】
2006173081.tif 000004
【図３】
2006173081.tif 000005
【図４】
2006173081.tif 000006
【図５】
2006173081.tif 000007
【図６】
2006173081.tif 000008
【図７】
2006173081.tif 000009
【図８】
2006173081.tif 000010